(57)【特許請求の範囲】
【請求項１】
液採取部材とチューブアセンブリを備え、前記チューブアセンブリがチューブプラグとチューブを含み、前記チューブプラグが前記チューブの開口端に置かれており、前記液採取部材には軸方向のチャンネルが設けられており、前記液採取部材の下部が前記チューブアセンブリに係合された液採取部材とチューブアセンブリの係合構造であって、
チューブプラグ本体にはストッパ体が設けられており、前記ストッパ体には可動部と固定部が設けられており、前記可動部は前記固定部が内向きに延伸して形成されており、前記可動部は前記固定部に対して移動可能であり、
前記可動部は、上面と、下面と、前記上面と前記下面とを接続する側面と、を有し、前記可動部の前記上面の上方には軸方向の凹部が設けられており、前記凹部は前記可動部の上面の上方に設けられたチャンネルＡの内側壁と前記可動部の前記上面とで囲まれて形成されており、液採取部材の下部が前記凹部に係合されており、
前記液採取部材の下部は前記チャンネルＡに挿着され、液採取部材の下部の外縁はチャンネルＡの内側壁に係合して固定されており、
前記液採取部材の下部が前記チューブプラグのストッパ体の可動部の上方に設けられている凹部を通り抜け、かつ前記液採取部材の下部は前記可動部に押し付けられて可動部を下向きに外へ展開させており、
前記ストッパ体は前記チューブのルーメン内に設けられており、
前記液採取部材の下部出口はチューブルーメン内に設けられており、
前記下部出口はチューブプラグの下部の最低位置よりも高くないし、
前記チャンネルＡは、前記液採取部材との接続や固定に用いられ、チューブアセンブリと前記液採取部材との係合に生じた搖動を減少し、前記液採取部材と前記チューブアセンブリとが分離した場合、前記液採取部材と前記チューブアセンブリの接続部における液体がチューブアセンブリの外へ飛び散ることを減少し、前記液採取部材との接続や固定過程における案内に用いられ、
前記チューブプラグの本体の外側壁には環状突起が設けられており、チューブの内側壁には環状凹溝が設けられており、前記チューブプラグの本体の外側壁における環状突起はチューブ内側壁における環状凹溝に係合されており、
前記液採取部材の前記チャンネルには仕切りが設けられており、前記仕切りによって、前記チャンネルは互いに連通しない液体案内チャンネルと排気チャンネルとに仕切られている、
ことを特徴とする液採取部材とチューブアセンブリの係合構造。
【請求項２】
チャンネルＡの内側壁には環状突起Ｂが設けられており、前記液採取部材の下部の外縁はチャンネルＡの内側壁における環状突起Ｂに係合されており、または、前記液採取部材の下部の外縁は同時に、チャンネルＡの内側壁における環状突起ＢとチャンネルＡの内側壁とに係合されており、又は、前記液採取部材の下部の外縁における環状凹部Ａは前記チューブプラグのチャンネルＡの内側壁における環状突起Ｂに係合されており、かつ、液採取部材の下部の外縁は前記可動部の上面に緊密に係合されており、前記環状突起Ｂは液採取部材の下部との係合における密封に用いられ、同時に、液採取部材との係合の確実度を向上させるためにも用いられる、
ことを特徴とする請求項１に記載の液採取部材とチューブアセンブリの係合構造。
【請求項３】
前記液採取部材の下部はＡ部とＢ部を含み、前記Ａ部と前記Ｂ部の接続部には、内向きの折り曲げが設けられており、前記Ａ部の外縁は前記チャンネルＡのチャンネル壁に係合されており、前記Ｂ部の外縁は前記可動部の上面に緊密に係合されている、ことを特徴とする請求項１に記載の液採取部材とチューブアセンブリの係合構造。
【請求項４】
前記下部出口がチューブプラグの下部の最低位置よりも低い場合、前記液採取部材のチャンネルの下部出口は少なくとも、チューブプラグの下部の最低位置よりも１ｍｍ低いが、前記チューブプラグの下部の最低位置よりも２０ｍｍ低くないである、ことを特徴とする請求項１に記載の液採取部材とチューブアセンブリの係合構造。
【請求項５】
前記可動部の上面に緊密に係合されている前記Ｂ部の外径は５．５ｍｍ以上であって、１１ｍｍ以下である、ことを特徴とする請求項３〜４のいずれか１項に記載の液採取部材とチューブアセンブリの係合構造。
【請求項６】
チューブルーメンの高さは９０ｍｍ以上であって、１１５ｍｍ以下であり、前記下部出口からチューブノズルまでの距離はチューブルーメンの高さの５％以上であって、チューブルーメンの高さの３５％以下である、ことを特徴とする請求項１〜５のいずれか１項に記載の液採取部材とチューブアセンブリの係合構造。
【請求項７】
液採取部材のチャンネルの下部出口の外周にはさらにストッパ体が設けられてもよく、前記ストッパ体は液採取部材のチャンネルの外部からの液体がチューブの外壁に飛び散ることを阻止するために用いられ、前記ストッパ体の遮蔽側壁はチューブを３６０°以下周回しており、
前記ストッパ体の高さはチューブの高さの７０％以上である、ことを特徴とする請求項６に記載の液採取部材とチューブアセンブリの係合構造。
【請求項８】
前記チューブルーメンにおけるチューブプラグの高さはチューブルーメンの高さの５％以上であって、チューブルーメンの高さの２０％以下であり、または、前記チューブルーメンにおけるチューブプラグの高さはチューブルーメンの高さの８％以上であって、チューブルーメンの高さの１６％以下である、
ことを特徴とする請求項１〜６のいずれか１項に記載の液採取部材とチューブアセンブリの係合構造。
【請求項９】
液体採取が終了し、そして、前記液採取部材における余分な液体を捨てて、前記液採取部材と前記チューブアセンブリとを分離させた後、前記チューブにおける液面からチューブプラグの下部の最低位置までの距離は、３．５ｍｍ以上であって、１５ｍｍ以下であり、又は、前記チューブにおける液面からチューブプラグの下部の最低位置までの距離は、４．５ｍｍ以上であって、１２．５ｍｍ以下である、
ことを特徴とする請求項１〜５のいずれか１項に記載の液採取部材とチューブアセンブリの係合構造。
【請求項１０】
初期状態において、前記液採取部材の下部は前記チューブアセンブリに係合して固定されており、前記液採取部材の下部の外縁はチャンネルＡの内側壁に係合されており、液採取部材の排液口は前記ストッパ体の可動部の上面の上方に設けられており、ストッパ体の可動部は回動しないこととなっており、
使用状態において、液採取部材の下部をチューブプラグのストッパ体の可動部に押し付けて可動部を下向きに外へ展開させ、液採取部材の下部の外縁は前記可動部の上面に緊密に係合して形成されている、
ことを特徴とする請求項１に記載の液採取部材とチューブアセンブリの係合構造。
【請求項１１】
前記液体案内チャンネルの断面積の最小箇所が３ｍｍ2以上であって、１８ｍｍ2以下であり、前記排気チャンネルの断面積の最小箇所が３ｍｍ2以上であって、１８ｍｍ2以下である、
ことを特徴とする請求項１に記載の液採取部材とチューブアセンブリの係合構造。
【請求項１２】
液体案内チャンネルの断面積の最小箇所が１０ｍｍ2よりも大きい場合、排気チャンネルの断面積の最小箇所が液体案内チャンネルの断面積の最小箇所の２５％以上である、
ことを特徴とする請求項１１に記載の液採取部材とチューブアセンブリの係合構造。
【請求項１３】
初期状態において、前記チューブアセンブリと前記液採取部材は互いに分離しており、
液体採取時、前記液採取部材と前記チューブアセンブリとを係合して固定し、前記液採取部材の下部の外縁はチューブプラグのチャンネルＡの内側壁に係合されており、液採取部材の下部はチューブプラグのストッパ体の可動部の上面に押し付けられて、可動部を下向きに外へ展開させ、同時に、液採取部材の下部の外縁はチャンネルＡの内側壁と前記可動部の上面に緊密に係合して形成されており、前記液採取部材の排液口とチューブルーメンとが連通している、
ことを特徴とする請求項１に記載の液採取部材とチューブアセンブリの係合構造。
【請求項１４】
初期状態において、前記液採取部材と前記チューブアセンブリとは係合して固定されており、前記液採取部材の下部の外縁はチューブプラグのチャンネルＡの内側壁に係合されており、かつ、液採取部材の下部の外縁はチューブプラグのストッパ体の可動部の上面に緊密に係合されており、可動部は下向きに外へ展開し、前記液採取部材の排液口とチューブルーメンとが連通しており、前記下部出口はチューブプラグの下部の最低位置よりも高くないである、
ことを特徴とする請求項１に記載の液採取部材とチューブアセンブリの係合構造。
【発明の詳細な説明】
【技術分野】
【０００１】
本発明は、医療機器に関し、特に、体液採取用の装置に関する。
【背景技術】
【０００２】
従来技術では、液採取部材とチューブの組合わせ構造は、液採取部材の下部がチューブに挿入して係合されたこととなっている。
【０００３】
その１、チューブに液体が注入されると、注入装置とチューブが物理的に接続されたので、二者の接続係合の密封性と安定性が不充分であり、液体が漏れやすく、注入装置が落ちやすくなる。そのため、注入過程において、２人協力が必要とされ、操作が複雑になり不便になった。
【０００４】
その２、一旦、チューブの開口端がチューブプラグによって塞がれると、チューブ内の物体または液体を検出するには、チューブプラグを取り出さないと検出を実施できないこととなり、操作工程が多くなる。
【０００５】
その３、チューブに対する液体の注入が終了した後、注入装置をチューブの開口部から外した際、注入装置の基端が、チューブ内の液体を持ち出しやすくなり、チューブの外部を汚しやすくなる。
【０００６】
その４、液体が液採取部材を介してチューブに注入されると、注入された液体の高さを制御することができず、チューブ内の液体が満ちていた場合のみに液体を引続き貯蔵しないことにし、その際、テストストリップまたはテストピペットがチューブに挿入されると、チューブ内の液体が溢れ出されやすくなり、汚染を引き起こした。
【発明の概要】
【発明が解決しようとする課題】
【０００７】
従って、注入装置とチューブの係合を安定に確保することができ、液体が漏れにくく、液体が注入される同時に、チューブの開口部が塞がれるだけではなく、汚染を低減させることができ、かつ、チューブプラグを取り出さないままでチューブにおける液体を検出することができるチューブプラグをどのように提供するかは、業界での解決しようとする大きな技術的課題となった。
【課題を解決するための手段】
【０００８】
本発明は、チューブ内の液体の液面高さを制御することができ、液体の注入過程において、注入装置とチューブの接続安定性を向上し、テストストリップの検出に便利さを与え、かつ、テストピペットがチューブに挿入されて液体を均一に混合させ、吸い上げる過程において、液体のチューブからの溢れ出しを効率よく避ける係合構造を提供することを目的にしている。
【０００９】
本発明の発明目的は以下のように実現される。
【００１０】
液採取部材とチューブアセンブリを備え、前記チューブアセンブリがチューブプラグとチューブを含み、前記チューブプラグが前記チューブの開口端に置かれており、前記液採取部材には軸方向のチャンネルが設けられており、前記液採取部材の下部が前記チューブアセンブリに係合された液採取部材とチューブアセンブリの係合構造であって、チューブプラグ本体にはストッパ体が設けられており、前記ストッパ体には可動部と固定部が設けられており、前記可動部は前記固定部が内向きに延伸して形成されており、前記可動部は前記固定部に対して移動可能であり、前記可動部は、上面と、下面と、前記上面と前記下面とを接続する側面と、を有し、前記可動部の前記上面の上方には軸方向の凹部が設けられており、液採取部材の下部が前記凹部に係合されており、前記ストッパ体は前記チューブのルーメン内に設けられている。
【００１１】
さらに、前記チューブプラグの可動部の上面の上方には、前記凹部と連通しているチャンネルＡがさらに設けられており、前記液採取部材の下部は前記チャンネルＡに挿着されており、液採取部材の下部の外縁はチャンネルＡの内側壁に係合して固定されている。前記チャンネルＡは、液採取部材とチューブアセンブリとの密封、接続及び固定にも有利である。そのうち、前記チャンネルＡは、柱状、円錐台状、または異型などであってもよい。前記チャンネルＡは、前記液採取部材との接続や固定に用いられ、チューブアセンブリと前記液採取部材との係合に生じた搖動を減少し、前記液採取部材と前記チューブアセンブリとが分離した場合、前記液採取部材と前記チューブアセンブリの接続部における液体がチューブアセンブリの外へ飛び散ることを減少し、テストストリップを抜き出す間に携帯液体がチューブアセンブリの外へ飛び散ることを減少するものであり、前記チャンネルは、前記液採取部材との接続や固定過程における案内に用いられてもよい。そのとき、液採取部材の下部の外縁はチャンネルＡの内側壁に係合されており、液採取部材の下部の下方は、チューブプラグのストッパ体の可動部の上方に位置し、液採取部材の下部は前記可動部に押し付けられて可動部を下向きに外へ展開させてもよいし、液採取部材の下部は前記可動部の上面に押し付けられているが、可動部が下向きに回動して展開しなくてもよいし、液採取部材の下部の下端面は前記可動部の上面と一定の距離を置いて離隔してもよい。さらに、液採取部材の下部の外縁は前記チャンネルＡに係合されており、かつ、前記液採取部材の下部は前記可動部に押し付けられて可動部を下向きに外へ展開させる。
【００１２】
さらに、液採取部材の下部は前記チューブプラグの凹部を通り抜け、かつ、前記液採取部材の下部出口はチューブルーメン内に設けられており、前記下部出口はチューブプラグの下部の最低位置以下である。即ち、前記下部出口はチューブプラグの下部の最低位置よりも低く、または、前記下部出口はチューブプラグの下部の最低位置と面一となる。
【００１３】
上記方案において、前記液採取部材の下部は前記チューブプラグのチャンネルＡに挿着されており、かつ、前記可動部の上面に緊密に係合されている場合、前記液採取部材の下部の外縁はチャンネルＡの内側壁に係合されており、かつ、液採取部材の下部の外縁は前記可動部の上面に緊密に係合されてもよい。
【００１４】
チャンネルＡの内側壁には環状突起Ｂが設けられており、前記液採取部材の下部の外縁はチャンネルＡの内側壁における環状突起Ｂに係合されており、かつ、液採取部材の下部の外縁は前記可動部の上面に緊密に係合されており、または、前記液採取部材の下部の外縁は同時に、チャンネルＡの内側壁における環状突起ＢとチャンネルＡの内側壁とに係合されており、かつ、液採取部材の下部の外縁は前記可動部の上面に緊密に係合されていてもよい。
【００１５】
前記液採取部材の下部の外縁には環状突起Ａがさらに設けられており、前記チャンネルＡの内側壁には環状凹部Ｂが設けられており、前記環状突起Ａが環状凹部Ｂに係合されており、かつ、前記液採取部材の下部の外縁はチャンネルＡの内側壁に係合されており、かつ、液採取部材の下部の外縁は前記可動部の上面に緊密に係合されていてもよい。
【００１６】
前記液採取部材の下部の外縁には環状凹部Ａがさらに設けられており、前記チャンネルＡの内側壁には環状突起Ｂが設けられており、前記環状突起Ｂが環状凹部Ａに係合されており、かつ、前記液採取部材の下部の外縁はチャンネルＡの内側壁に係合されており、かつ、液採取部材の下部の外縁は前記可動部の上面に緊密に係合されていてもよい。
【００１７】
前記液採取部材の下部はＡ部とＢ部を含み、前記Ａ部と前記Ｂ部の接続部には内向きの折り曲げが設けられてもよい。前記折り曲げは前記Ａ部と前記Ｂ部が直接に接続されて形成された内向きの折り曲げであってもよいし、前記Ａ部の下端は内向きに折り曲げられて、さらに、前記Ｂ部に接続されて形成されたものであってもよい。
【００１８】
Ａ部とＢ部はチューブプラグに係合された場合、
前記Ａ部の外縁は前記チャンネルＡの内側壁に係合されており、前記Ｂ部の外縁は前記可動部の上面に緊密に係合されていてもよいし、
前記Ａ部の外縁には環状凹部Ａが設けられており、前記チャンネルＡの内側壁には環状突起Ｂが設けられており、前記環状突起Ｂは前記環状凹部Ａに係合されており、かつ、前記Ａ部の外縁は前記チャンネルＡの内側壁に係合されており、前記Ｂ部の外縁は前記可動部の上面に緊密に係合されていてもよいし、
または、前記Ａ部の外縁には環状突起Ａが設けられており、前記チャンネルＡの内側壁には環状凹部Ｂが設けられており、前記環状凹部Ｂは前記環状突起Ａに係合されており、かつ、前記Ａ部の外縁は前記チャンネルＡの内側壁に係合されており、前記Ｂ部の外縁は前記可動部の上面に緊密に係合されていてもよいし、
さらに、前記チャンネルＡの内側壁には環状突起Ｂが設けられており、前記Ａ部の外縁は前記チャンネルＡの内側壁における環状突起Ｂに係合されており、前記Ｂ部の外縁は前記可動部の上面に緊密に係合されていてもよいし、
または、前記Ａ部の外縁は同時に、前記チャンネルＡの内側壁における環状突起Ｂ及び前記チャンネルＡの内側壁に係合されており、前記Ｂ部の外縁は前記可動部の上面に緊密に係合されていてもよい。
【００１９】
上記方案において、前記チューブプラグは弾性材料で製造されており、例えば、シリコーン、ゴム、ＴＰＵ、ＴＰＥなどの材料で製造されている。前記可動部の前記上面の上方における軸方向の凹部は以下の方式により形成されている。
【００２０】
一、前記凹部は前記可動部の前記上面に囲まれて形成されており、すなわち、固定部の基部と可動部の端部との間の高さの差により形成されている。前記可動部の端部は前記可動部の基部よりも低くてもよいし、前記可動部の厚さは基部から端部の方向へ減少し、前記可動部の厚さは前記可動部の上面から前記可動部の下面までの距離であってもよい。前記可動部の厚さは前記可動部の基部から前記可動部の端部の方向へ累進的に減少してもよいし、段階的に減少してもよいし、または、他の減少方式であってもよい。上面は平面、斜面であってもよいし、曲面などであってもよい。
【００２１】
二、または、前記凹部は前記可動部の上面の上方に設けられたチャンネルＡの内側壁と前記可動部の前記上面とで囲まれて形成されており、その時の可動部の上面は平面、斜面または曲面であってもよい。前記チャンネルは液採取部材の接続固定に用いられる。チャンネルＡが設けられた場合、前記チャンネルＡの内側壁は即ち、前記チューブプラグ本体の内側壁である。
【００２２】
さらに、前記チューブプラグの前記チャンネルＡの内側壁には、環状突起Ｂがさらに設けられてもよい。前記環状突起Ｂは液採取部材の下部との係合における密封と位置決めに用いられ、同時に、液採取部材との係合の確実度を向上させるためにも用いられる。液採取部材の下部の外縁には、前記チャンネルＡの内側壁における環状突起Ｂに係合された環状凹部Ａが設けられており、前記液採取部材の下部の外縁における環状凹部Ａは前記チューブプラグのチャンネルＡの内側壁における環状突起Ｂに係合されてもよいし、前記液採取部材の下部の外縁は前記チューブプラグのチャンネルＡの内側壁における環状突起Ｂに係合されてもよいし、さらに、前記本体の外側壁に突起が設けられてもよい。前記本体の外側壁における前記突起はチューブとの係合時に、係合の確実度を向上すること、及び、係合の位置決めに用いられる。前記突起は環状、点状または螺旋状などであってもよい。
【００２３】
前記チューブプラグは閉状態と開状態を有する。チューブプラグが閉状態にある場合、前記ストッパ体の可動部は外力による作用を受けず、自然状態にある。チューブプラグが開状態にある場合、前記ストッパ体の可動部は液採取部材の下部による作用を受け、前記可動部は周辺へ展開して、軸方向のチャンネルＢが形成されており、液体がチューブに流れるために用いられてもよいし、または検出機器のサンプリングに用いられてもよい。そのうち、チューブプラグ本体のストッパ体の個数は１、２、３、４などであってもよい。
【００２４】
前記本体には、少なくとも２つの前記ストッパ体が設けられており、前記ストッパ体の可動部は互いに独立し、各前記可動部の側面同士が当接し、または、各前記可動部の側面の間に隙間などが設けられている。
【００２５】
前記ストッパ体の可動部は互いに独立し、前記本体には軸方向の貫通孔が設けられてもよい。
【００２６】
前記可動部と前記可動部の間に接線が設けられており、前記接線は前記可動部の側面間の接触によって形成されていてもよい。
【００２７】
前記可動部と前記可動部の間に接線が設けられており、前記接線は前記可動部の側面間の当接によって形成されており、かつ、前記本体には軸方向の貫通孔が設けられていてもよい。
【００２８】
前記可動部の側面の間に隙間が設けられており、前記隙間は軸方向の貫通孔として形成されてもよい。
【００２９】
前記可動部同士の間は互いに独立して移動することができ、前記可動部の側面同士は当接していてもよい。
【００３０】
隣接した前記可動部の側面の間の隙間は０．０６ｍｍ以上であって、１．８ｍｍ以下であるが、隣接した前記可動部の側面の間の隙間は０．０６ｍｍ以上であって、０．３ｍｍ以下であることが好ましい。側面の間の隙間はＸ字状、十字状、Ｙ字状、一字状、Ｔ字状または不規則状などに形成されてもよいし、隙間の形状は前記可動部の個数によって決められる。
【００３１】
１つのストッパ体のみが存在した場合、前記ストッパ体の可動部は前記チャンネルＡの内側壁との間に隙間が設けられている。前記隙間は０．０６ｍｍ以上であって、１．８ｍｍ以下であるが、前記ストッパ体の可動部と前記チャンネルＡの内側壁との間に設けられた隙間は０．０６ｍｍ以上であって、０．３ｍｍ以下であることが好ましい。前記隙間は軸方向の貫通孔として形成されている。前記ストッパ体の可動部の側面は前記チャンネルＡの内側壁に当接していてもよい。そのとき、可動部の上面は平面、斜面であってもよいし、曲面であってもよい。
【００３２】
チューブに液体が注入されると、液採取部材における余分な液体を捨てて、液採取部材とチューブアセンブリとを分離し、チューブにおける液体が前記貫通孔にて外部からの気体と接触し、すなわち、前記貫通孔の表面に液膜が形成され、液膜は、液体と気体とが接触した表面に存在した薄層であって、表面層と呼ばれる。表面層における分子は液体の内部よりも疎であり、分子間の距離が液体の内部よりも少し大きく、分子間の相互作用は引力として現れる。軸方向の貫通孔は液体の表面が張力を有する特性を利用し、液膜によって液体が外部へ流れることを阻止し、さらに、漏れ防止を実現した。貫通孔と気体とが接触した面積が小さければ小さいほど、形成された液膜による漏れ防止効果はよくなり、逆にすれば、悪くなる。前記貫通孔の断面積の最小箇所が２ｍｍ2以上であって、３５ｍｍ2未満であるが、前記貫通孔の断面積の最小箇所が３ｍｍ2以上であって、１８ｍｍ2未満であることが好ましい。
【００３３】
上記方案において、液採取部材の前記下部出口はチューブプラグの下部の最低位置よりも低く、前記液採取部材のチャンネルの下部出口は少なくとも、チューブプラグの下部の最低位置より１ｍｍ低いが、前記チューブプラグの下部の最低位置より２０ｍｍ以上低くない。前記液採取部材のチャンネルの下部出口は少なくとも、チューブプラグの下部の最低位置より２ｍｍ低いが、前記チューブプラグの下部の最低位置より１２ｍｍ以上低くないことは好ましい。前記液採取部材のチャンネルの下部出口は少なくとも、チューブプラグの下部の最低位置より３ｍｍ低いが、前記チューブプラグの下部の最低位置より８ｍｍ以上低くないことはさらに好ましい。
【００３４】
前記液採取部材のチャンネルの下部出口はチューブプラグの下部の最低位置より１ｍｍ、２ｍｍ、３ｍｍ、４ｍｍ、５ｍｍ、６ｍｍ、７ｍｍ、８ｍｍ、９ｍｍ、１０ｍｍ、１１ｍｍ、１２ｍｍ、１３ｍｍ、１４ｍｍ、１５ｍｍ、１６ｍｍ、１７ｍｍ、１８ｍｍ、１９ｍｍ、２０ｍｍ低い場合、液体が液採取部材からチューブに注入される過程において、チューブにおける液面が液採取部材のチャンネルの下部出口を塞いだ場合、チューブに残留した気体の圧力により、液採取部材における液体がチューブへ流れることを停止させ、さらに、チューブにおける液面の高さを効率的に制御し（液面が液体案内チャンネルの排液口を塞いてもよいし、液面が排気チャンネルの排気口を塞いでもよいし、液面が液体案内チャンネルの排液口と排気チャンネルの排気口を同時に塞いでもよい）、液面からチューブプラグの下端までは一定の距離が保持されてもよい。液採取部材がずれた後、テストストリップまたはテストピペットなどの物品がチューブに再び挿入されて検出を行うとき、挿入された物品は直ちに液面をチューブプラグの下端に押し上げて液体を外へ溢れだせないように確保される。また、テストピペットがチューブにおいて、液体を吸引・排出して液体を均一に混合させる過程において、まず、ピペットにおける気体を排除させる必要がある。もし、チューブにおける液面が高すぎて、または、チューブプラグの下端を超えた場合、ピペットが液体を吸引・排出する際、排除された気体が液面を押し上げて液体を溢れ出せることとなる。そのため、液面がチューブプラグより一定の高さ低いと、ピペットが液体を吸引・排出する際、気体が先に排出されることが確保され、排気によって液面がチューブプラグの下端を超えて、チューブにおける液体を溢れ出すことを避ける。さらに、テストストリップと検出器による検出時に必要な液面の高さが確保できる。
【００３５】
一般的には、チューブルーメンの高さは９０ｍｍ以上であって、１１５ｍｍ以下である。チューブの開口端の直径は、１２．５ｍｍ以上であって、１６ｍｍ以下である。
【００３６】
上記の方案において、前記チャンネルの下部出口からチューブノズルまでの距離はチューブルーメンの高さの５％以上であって、チューブルーメンの高さの３５％以下である。前記チャンネルの下部出口からチューブノズルまでの距離はチューブルーメンの高さの１０％以上であって、チューブルーメンの高さの２５％以下であることが好ましい。前記チャンネルの下部出口からチューブノズルまでの距離はチューブルーメンの高さの１５％以上であって、チューブルーメンの高さの２２％以下であることがさらに好ましい。
【００３７】
上記の方案において、前記チューブルーメンにあるチューブプラグの高さはチューブルーメンの高さの５％以上であって、チューブルーメンの高さの２０％以下である。前記チューブルーメンにあるチューブプラグの高さはチューブルーメンの高さの８％以上であって、チューブルーメンの高さの１６％以下であることが好ましい。
【００３８】
上記の方案において、前記液採取部材のチャンネルは液体を案内するための液体案内チャンネル及び／または排気するための排気チャンネルを含む。液体案内チャンネルは排液口と吸液口を含み、液体案内チャンネルの下部出口は排液口であり、排気チャンネルは排気口と吹出口を含み、前記排気チャンネルの下部出口は排気口である。
【００３９】
前記チャンネルは液体案内チャンネルと前記排気チャンネルを含む場合、前記チャンネルには仕切りが設けられており、前記仕切りによって前記チャンネルが互いに連通しない液体案内チャンネルと排気チャンネルに仕切られている。そのうち、前記仕切りは、以下のように形成されてもよい。
【００４０】
一、前記仕切りは液体案内チャンネルと排気チャンネルを接続する接続部であり、かつ、接続部の基端は前記排液口及び／または排気口よりも高くない。接続部の基端は同時に、前記排液口と排気口より低いものであってもよいし、または、接続部の基端は排気口より低いが、前記排液口より高くないものであってもよいし、または、接続部の基端は同時に、前記排液口と排気口に面一となったものであってもよい。
【００４１】
二、前記仕切りは液体案内チャンネルと排気チャンネルを接続する接続部であり、かつ、接続部には内向きの凹部Ａが設けられている。
【００４２】
前記排液口と前記排気口は前記液採取部材の下部に設けられており、前記液採取部材の下部が前記チューブアセンブリに係合して固定された場合、液体は前記液体案内チャンネルを介して前記チューブのルーメンに順調に流れることが可能である。そのうち、液体案内チャンネルの断面積の最小箇所は３ｍｍ2以上であって、１８ｍｍ2以下であり、排気チャンネルの断面積の最小箇所は３ｍｍ2以上であって、１８ｍｍ2以下である。前記液採取部材と前記チューブアセンブリとが係合して固定され、または分離したとき、前記チューブプラグのストッパ体は歪んでいる。前記液採取部材と前記チューブアセンブリとが係合して固定され、または分離したとき、前記ルーメンにおける液体がいずれも、ルーメンから流れにくくなる。そのうち、液体案内チャンネルの断面積の最小箇所とは排液口の断面積を指し、排気チャンネルの断面積の最小箇所とは排気口の断面積を指す。
【００４３】
前記液体案内チャンネルの断面積の最小箇所は４ｍｍ2以上であって、１２ｍｍ2以下であり、前記排気チャンネルの断面積の最小箇所は４ｍｍ2以上であって、１２ｍｍ2以下であることが好ましい。液体案内チャンネルの断面積の最小箇所は４ｍｍ2以上であって、１２ｍｍ2以下であり、前記排気チャンネルの断面積の最小箇所は４ｍｍ2以上であって、１２ｍｍ2以下である場合、液体が前記液採取部材の排気口を塞いで、前記液採取部材における液体が順調に流れない場合が生じた可能性を低くすることができ、同時に、間欠的な液採取に起因した前記液採取部材の液体案内が不良となった場合を減少することができる。前記液採取部材における余分な液体を捨てる過程において、前記排液口、前記排気口にて液膜が形成されたので、前記チューブにおける液体が排液口または排気口から流れる確率を低減する。そのうち、前記液体案内チャンネルの断面積の最小箇所が１０ｍｍ2以下である場合、前記排気チャンネルの断面積の最小箇所が前記液体案内チャンネルの断面積の最小箇所以上であることが好ましい。
【００４４】
そのうち、前記排気チャンネルの断面積の最小箇所とは排気口の断面積を指し、液体案内チャンネルの断面積の最小箇所とは排液口の断面積を指す。
【００４５】
液体案内チャンネルの断面積の最小箇所が１０ｍｍ2よりも大きい場合、排気チャンネルの断面積の最小箇所が液体案内チャンネルの断面積の最小箇所の２５％以上であることが好ましい。それにより、液採取部材による液採取の過程における液体案内が順調かつ迅速に行われる。
【００４６】
液採取部材のチャンネルの下部出口の外周にはストッパ体がさらに設けられてもよく、前記ストッパ体は液採取部材のチャンネルの外部からの液体がチューブの外壁に飛び散ることを阻止するために用いられる。ストッパ体の高さはチューブの高さの７０％以上である。
【００４７】
前記ストッパ体は前記液採取部材とは一体成型とされてもよいし、個別に係合して固定されてもよい。前記ストッパ体はチューブの周囲に設けられている。前記ストッパ体は前記液採取部材の上部、中部、下部、周囲、上部及び周囲、中部及び周囲、または下部及び周囲に設けられてもよい。前記液採取部材にはハンドルがさらに設けられており、前記ハンドルの外側には防護側壁が設けられ、前記防護側壁は液体がハンドルに零れ落ちることを避けるために用いられる。前記ストッパ体は遮蔽側壁を含み、前記遮蔽側壁はチューブを３６０°以下周回している。前記遮蔽側壁がチューブを３６０°以下周回している場合、前記遮蔽側壁には、観察用、走査用の覗き窓が設けられてもよいし、または、前記遮蔽側壁が透明な材料で製造された場合、透明な材料が採用されたので、観察用、走査用の覗き窓が設けられなくてもよい。
【００４８】
さらに、前記ストッパ体は可動部Ａと固定部Ａを含み、前記可動部Ａと前記固定部Ａは可動に接続されており、前記固定部Ａは前記液採取部材の下部に固定して接続され、または、一体成形とされている。
【００４９】
さらに、前記可動部Ａと前記固定部Ａはソケット構成となり、かつ、前記可動部Ａは前記液採取部材の軸方向における位置が一定の角度で変化したとき、自重の作用で、前記固定部Ａに対して軸方向に自由にスライドすることができる。さらに、可動部Ａの側壁に軸方向の収縮溝が設けられてもよい。
【００５０】
前記ストッパ体は可動部Ｂと固定部Ｂを含み、前記可動部Ｂは前記固定部Ｂに対して回動可能となり、前記可動部Ｂと前記固定部Ｂの断面がともに、弧状であり、前記固定部Ｂは前記液採取部材の下部に固定して接続されている。可動部Ｂは前記固定部Ｂに対して回動し、そのうち、可動部Ｂと固定部Ｂの間に部分的な重なりが存在することが許され、可動部Ｂと固定部Ｂとが囲まれた後、共同でチューブを３６０°周回している。
【００５１】
上記の方案において、前記可動部の上面に緊密に係合された位置における前記Ｂ部の外径は５．５ｍ以上であって、１１ｍｍ以下である。前記Ｂ部の外径は５．５ｍｍ以上であって、１１ｍｍ以下であることによって、ストッパ体の可動部は、液採取部材とチューブアセンブリとが分離した後、迅速に、液採取部材がチューブアセンブリにまだ係合されていない時の初期状態に戻ることに便利さを与えた。
【００５２】
液体採取が終了した後、前記液採取部材における余分な液体を捨てて、前記液採取部材と前記チューブアセンブリとを分離した後、前記チューブにおける液面の高さからチューブプラグの基端面までの距離が３．５ｍｍ以上であって、１５ｍｍ以下である。前記チューブにおける液面の高さからチューブプラグの基端面までの距離が４．５ｍｍ以上であって、１２．５ｍｍ以下であることが好ましい。
【００５３】
上記の方案において、チューブプラグの下部の最低位置は２つの場合がある。
【００５４】
一、液採取部材とチューブアセンブリとが係合されたとき、ストッパ体の可動部は下向きに開くと、可動部の最低位置はチューブプラグの下部の最低位置であること；
二、液採取部材とチューブアセンブリとが分離したとき、ストッパ体の可動部は初期状態にあり、可動部の下面の最低位置はチューブプラグの下部の最低位置であること。
【００５５】
上記の方案において、以下の幾つかの使用方式が存在することができる。
【００５６】
使用方式一：初期状態において、前記液採取部材の下部は前記チューブアセンブリに係合して固定され、前記液採取部材の下部の外縁はチャンネルＡの内側壁に係合され、液採取部材の排液口は前記ストッパ体の可動部の上面の上方に設けられる。液採取部材の下部の基端は前記可動部の上面に押し付けられ、または、液採取部材の下部の基端は前記可動部の上面に接触しない。液体を採取する必要がある場合、液採取部材の下部をチューブプラグのストッパ体の可動部に押し付けて可動部を下向き（液体が流れる方向）に外へ展開させることで、液採取部材の下部の外縁と前記可動部の上面とが緊密に係合して形成されている。液体採取が終了した後、液採取部材における余分な液体を捨てて、液採取部材とチューブアセンブリとを分離させ、検出機器または係員の使用のために、チューブアセンブリを残す。
【００５７】
使用方式二：初期状態において、前記チューブアセンブリと前記液採取部材とが互いに分離しているが、液体採取時、前記液採取部材と前記チューブアセンブリとを係合して固定する。即ち、前記液採取部材の下部の外縁をチューブプラグのチャンネルＡの内側壁に係合し、液採取部材の下部がチューブプラグのストッパ体の可動部の上面に押し付けられて、可動部を下向き（液体が流れる方向）に外へ展開させ、液採取部材の下部の外縁は同時に、チャンネルＡの内側壁と前記可動部の上面とが緊密に係合して形成されており、前記液採取部材の排液口はチューブルーメンに連通している。液体採取が終了した後、液採取部材における余分な液体を捨てて、液採取部材とチューブアセンブリとを分離させ、検出機器または係員の使用のために、チューブアセンブリを残す。
【００５８】
使用方式三：初期状態において、前記液採取部材と前記チューブアセンブリとが係合して固定されている。即ち、前記液採取部材の下部の外縁はチューブプラグのチャンネルＡの内側壁に係合されており、かつ、液採取部材の下部の外縁はチューブプラグのストッパ体の可動部の上面に緊密に係合されて、可動部を下向き（液体が流れる方向）に外へ展開させ、前記液採取部材の排液口はチューブルーメンに連通し、前記下部出口はチューブプラグの下部の最低位置より高くない。液体採取が終了した後、液採取部材における余分な液体を捨てて、液採取部材とチューブアセンブリとを分離させ、検出機器または係員の使用のために、チューブアセンブリを残す。
【００５９】
本発明は以下のような利点を有している。
【００６０】
１、チューブにおける液面をチューブルーメン内の特定の位置に正確に限定することができ、その位置はテストストリップと検出器による検出時に必要な液面の高さを確保することができる。
【００６１】
２、液体が注入される過程、テストストリップが挿入されて検出し、または、テストピペットがチューブに挿入され、テストピペットがチューブにおける液体を均一に混合し、吸い上げる過程における、液体のチューブからの溢れ出しを効率よく減少することができる。
【００６２】
３、本発明におけるチューブプラグの凹部はテストストリップの挿入時に案内の作用を奏するので、テストストリップの挿入時の抵抗をさらに減少し、使用者はテストストリップの端部を凹部に位置合わせるだけで、便利な挿入を実現できる。
【００６３】
４、チューブアセンブリからテストストリップを取り出すとき、チューブプラグの凹部とチャンネルの構造によれば、テストストリップまたはテストピペットがチューブにおける液体を持ち出すことを効率的に避けることができ、さらに、テストストリップの検出ブロックにおける余分な液体を除去することもできる。テストストリップに巻き込まれた液体が滴下したとき、滴下した液体もチューブに還流するように案内され、汚染を効率よく避ける。
【００６４】
５、本発明における液採取部材の下部はチューブプラグの凹部とチャンネルとに係合された場合、密封性がよりよく、液体の漏れを避ける。
【００６５】
６、製品が出荷されてから消費者によって使用されるまでの段階において、液採取部材とチューブアセンブリとが長時間にわたって係合されている。従来技術におけるチューブプラグのストッパ体は長い期間において歪んだ状態にあるので、ストッパ体が長時間にわたって疲労した後、初期状態に戻ることが難しく、漏れ防止能力が低下した。それに対して、本発明におけるチューブプラグの凹部の構造によれば、ストッパ体の復元力を向上することができ、チューブプラグの可動部をリアルタイム回復させることができ、さらに、液体に対する塞ぎを実現した。
【００６６】
７、本発明は、液体注入が終了して液採取部材における余分な液体を捨てるとき、および、チューブと液採取部材とが分離した後は、チューブにおける液体が流れにくくなる。
【図面の簡単な説明】
【００６７】
【図１】図１は本発明の一実施例におけるチューブの概略図である。
【図２】図２は本発明の一実施例における液採取部材の概略図である。
【図３】図３は本発明の一実施例における係合構成の概略図である。
【図４】図４は本発明の一実施例における係合構成の概略図−１である。
【図５】図５は本発明の一実施例における液採取部材の概略図−１である。
【図６】図６は本発明の一実施例における係合構成の概略図−２である。
【図７】図７は本発明の一実施例における液採取部材の概略図−２である。
【図８】図８は本発明の一実施例における係合構成の概略図−３である。
【図９】図９は本発明の一実施例における液採取部材の概略図−３である。
【図１０】図１０は本発明の一実施例におけるチューブプラグの概略図−１である。
【図１１】図１１は本発明の一実施例におけるチューブプラグの概略図−２である。
【図１２】図１２は本発明の一実施例におけるチューブプラグの概略図−３である。
【図１３】図１３は本発明の一実施例におけるチューブアセンブリの概略図−１である。
【図１４】図１４は本発明の一実施例におけるチューブアセンブリの概略図−２である。
【図１５】図１５は本発明の一実施例におけるチューブアセンブリの概略図−３である。
【図１６】図１６は本発明の一実施例におけるチューブの概略図−１である。
【図１７】図１７は本発明の一実施例におけるチューブプラグの概略図−４である。
【図１８】図１８は本発明の一実施例におけるチューブアセンブリの概略図−４である。
【図１９】図１９は本発明の一実施例における液採取部材の概略図−４である。
【図２０】図２０は本発明の一実施例における係合構成の概略図−４である。
【発明を実施するための形態】
【００６８】
以下は、本発明について添付図面を結び付けながら、さらに説明し、以下の実施例は好ましい例に過ぎず、本発明の範囲に対して限定されたものではなく、それどころか、其の目的は、種々の変更をカバーできるように目指し、本発明の特許請求の範囲という範疇内に等価的なものをアレンジすることである。
【００６９】
実施例１：
以下は、図１、図２、図３、図１０、図１３を結び付けながら、本発明をさらに説明する。
【００７０】
液採取部材とチューブアセンブリの係合構造であって、液採取部材１とチューブアセンブリ４を備える。チューブアセンブリ４はチューブプラグ２とチューブ３を含む。
【００７１】
チューブ３にはルーメン３１と開口端３２が設けられている。チューブルーメンの高さＤ２は１０３ｍｍであり、チューブ３の開口端の直径は１４ｍｍである。
【００７２】
チューブプラグ２の上部に軸方向のチャンネルＡ２１が設けられており、チャンネルＡのチャンネル壁２１１の上部には環状突起Ｂ２３が設けられている。チューブプラグ２の下部には４つのストッパ体２５が設けられており、ストッパ体２５はシート状であり、ストッパ体２５には固定部２５２と可動部２５３が設けられており、可動部２５３は固定部２５２が内向きに延伸して形成されており、可動部２５３は固定部２５２に対して移動可能であり、固定部２５２は可動部２５３と一体にされ、ストッパ体２５はチューブプラグ２と一体にされた。
【００７３】
液採取部材の下部１０とチューブプラグ２とが挿着されて係合されていない場合、４つのシート状のストッパ体２５の側面２５４は互いに当接している。
【００７４】
液採取部材１の環状側壁によって囲まれて軸方向のチャンネルは形成されており、チャンネルには仕切り１６が設けられており、仕切り１６によってチャンネルは互いに連通しない液体案内チャンネル１２と排気チャンネル１１に仕切られる。液体案内チャンネル１２は吸液口１２１と排液口１２２を含み、液体案内チャンネル１２の下部出口は排液口１２２であり、排気チャンネル１１は排気口１１２と吹出口１１１を含み、排気チャンネルの下部出口は排気口１２２である。仕切り１６の基端は排液口１２２と排気口１１２よりも低い。
【００７５】
液採取部材の下部１０はＡ部１０１とＢ部１０２を含み、Ａ部１０１の基端は内向きに折り曲げて延伸してＢ部１０２に接続されており、Ａ部の外縁１０１Ａには環状凹部Ａ１５が設けられている。
【００７６】
チャンネルの下部出口（排気口１１２と排液口１２２）の外周にはストッパ体１７が設けられている。遮蔽側壁１７２はチューブ３を３６０°周回している。ストッパ体１７は液採取部材１と一体にされている。ストッパ体の高さＤ３は９９ｍｍである。
【００７７】
チューブプラグ２はチューブ３の開口端３２に置かれている。ストッパ体２５はチューブ３のルーメンに設けられている。
【００７８】
液採取部材の下部１０はチューブアセンブリ４に挿着して係合されている。
【００７９】
液採取部材の下部１０はチューブプラグ２のチャンネル２１に挿入され、Ａ部の外縁１０１ＡはチャンネルＡのチャンネル壁２１１に係合され、Ａ部の外縁１０１Ａの環状凹部Ａ１５はチャンネルＡのチャンネル壁２１１における環状突起Ｂ２３に係合されており、液採取部材の下部１０のＢ部１０２は４つのストッパ体２５を下向きに側面へ展開させ、Ｂ部の外縁１０２Ａは４つのストッパ体２５の上面２５１に係合されている。液採取部材の下部１０は軸方向にチューブプラグ２を貫通している。
【００８０】
液採取部材１の排液口１２２と排気口１１２はチューブ３のルーメン３１内に設けられている。排液口１２２と排気口１１２からチューブノズルまでの距離は２６ｍｍである。排液口１２２と排気口１１２はチューブプラグの下部の最低位置２０１より８ｍｍ低い。Ｂ部１０２とストッパ体２５の上面２５１とが緊密に係合した箇所の外径は８ｍｍである。
【００８１】
液体採取が終了した後、液採取部材１における余分な液体を捨てて、液採取部材１とチューブアセンブリ４を分離した後、チューブ３における液面５からチューブプラグの下部の最低位置２０２までの距離Ｄ４は４ｍｍである。
【００８２】
実施例２：
以下は、図１、図４、図９、図１１、図１４を結び付けながら、本発明をさらに説明する。
【００８３】
液採取部材とチューブアセンブリの係合構造であって、液採取部材１とチューブプラグ２とチューブ３とを備える。
【００８４】
チューブ３にはルーメン３１と開口端３２が設けられている。チューブルーメンの高さＤ２は１１０ｍｍであり、チューブ３の開口端の直径は１３．５ｍｍである。
【００８５】
チューブプラグ２の上部にはチャンネルＡ２１が設けられており、チャンネルＡのチャンネル壁２１１には、環状突起Ｂ２３が設けられており、チューブプラグ２の下部には４つのシート状のストッパ体２５がさらに設けられており、ストッパ体２５には固定部２５２と可動部２５３が設けられており、可動部２５３は固定部２５３が内向きに延伸して形成されており、可動部２５３は固定部２５２に対して回転可能であり、固定部２５２は可動部２５３と一体にされ、ストッパ体２５はチューブプラグ２と一体にされた。
【００８６】
ストッパ体２５は環状突起Ｂ２３の下方に設けられており、液採取部材の下部１０とチューブプラグ２とが挿着されて係合されていない場合、４つの片状のストッパ体２５の側面２５４は互いに当接している。
【００８７】
液採取部材１の環状側壁が囲まれて軸方向のチャンネルは形成されており、チャンネルには仕切り１６が設けられており、仕切り１６によってチャンネルは互いに連通しない液体案内チャンネル１２と排気チャンネル１１に仕切られる。液体案内チャンネル１２は吸液口１２１と排液口１２２を含み、液体案内チャンネル１２の下部出口は排液口１２２であり、排気チャンネル１１は排気口１１２と吹出口１１１を含み、排気チャンネルの下部出口は排気口１２２である。
【００８８】
液採取部材の下部１０はＡ部１０１とＢ部１０２を含み、Ａ部１０１の基端は内向きに折り曲げて延伸してＢ部１０２に接続され、Ａ部の外縁１０１Ａには環状凹部Ａ１５が設けられている。
【００８９】
チャンネルの下部出口（排気口１１２と排液口１２２）の外周にはストッパ体１７が設けられている。遮蔽側壁１７２はチューブ３を３６０°周回している。ストッパ体１７は液採取部材１と一体にされている。ストッパ体の高さＤ３は１１０ｍｍである。
【００９０】
チューブプラグ２はチューブ３の開口端３２に置かれている。ストッパ体２５はチューブ３のルーメンに設けられている。
【００９１】
液採取部材の下部１０はチューブアセンブリに挿着して係合されている。
【００９２】
液採取部材の下部１０はチューブプラグ２のチャンネル２１に挿入され、チャンネルＡのチャンネル壁２１１における環状突起Ｂ２３はＡ部の外縁１０１Ａに係合されており、Ａ部の外縁１０１Ａに係合された同時に、チャンネルＡのチャンネル壁２１１にも係合されており、液採取部材の下部１０のＢ分１０２は４つのストッパ体２５を下向きに側面へ展開させ、Ｂ部の外縁１０２Ａはストッパ体２５の上面２５１に係合されている。液採取部材の下部１０は軸方向にチューブプラグ２を貫通している。
【００９３】
液採取部材１の排液口１２２と排気口１１２はチューブ３のルーメン３１内に設けられている。排液口１２２と排気口１１２からチューブノズルまでの距離は２３ｍｍである。排液口１２２と排気口１１２はチューブプラグの下部の最低位置２０１より５ｍｍ低い。Ｂ部１０２とストッパ体２５の上面２５１とが緊密に係合した箇所の外径は９ｍｍである。
【００９４】
液体採取が終了した後、液採取部材１における余分な液体を捨てて、液採取部材１とチューブアセンブリ４を分離した後、チューブ３における液面５からチューブプラグの下部の最低位置２０２までの距離Ｄ４は４．５ｍｍである。
【００９５】
実施例３：
以下は、図１、図５、図６、図１２、図１５を結び付けながら、本発明をさらに説明する。
【００９６】
液採取部材とチューブアセンブリの係合構造であって、液採取部材１とチューブプラグ２とチューブ３とを備える。
【００９７】
チューブ３にはルーメン３１と開口端３２が設けられている。チューブ３のルーメンの高さは１０１ｍｍであり、チューブ３の開口端の直径は１４．５ｍｍである。
【００９８】
チューブプラグ２の上部にはチャンネルＡ２１が設けられており、チャンネルＡのチャンネル壁２１１には、環状凹部Ｂ２２が設けられており、チューブプラグ２の下部には４つのシート状のストッパ体２５がさらに設けられており、ストッパ体２５には固定部２５２と可動部２５３が設けられており、可動部２５３は固定部２５２が内向きに延伸して形成されており、可動部２５３は固定部２５２に対して回転可能であり、固定部２５２は可動部２５３と一体にされ、ストッパ体２５はチューブプラグ２と一体にされた。
【００９９】
液採取部材の下部１０とチューブプラグ２とが挿着されて係合されていない場合、４つのシート状のストッパ体２５の側面２５４は互いに当接している。
【０１００】
液採取部材１の環状側壁が囲まれて軸方向のチャンネルは形成されており、チャンネルには仕切り１６が設けられており、仕切り１６によってチャンネルは互いに連通しない液体案内チャンネル１２と排気チャンネル１１が仕切られる。液体案内チャンネル１２は吸液口１２１と排液口１２２を含み、液体案内チャンネル１２の下部出口は排液口１２２であり、排気チャンネル１１は排気口１１２と吹出口１１１を含み、排気チャンネルの下部出口は排気口１２２である。
【０１０１】
液採取部材の下部１０はＡ部１０１とＢ部１０２を含み、Ａ部１０１の基端は内向きに且つ下向きに折り曲げて延伸してＢ部１０２に接続されている。Ａ部の外縁１０１Ａには環状突起Ａ１４が設けられている。
【０１０２】
チャンネルの下部出口（排気口１１２と排液口１２２）の外周にはストッパ体１７が設けられている。ストッパ体１７には走査用、観察用の覗き窓１７１が設けられている。遮蔽側壁１７２はチューブ３を３６０°周回している。ストッパ体１７は液採取部材１と一体にされている。ストッパ体の高さＤ３は１００ｍｍである。
【０１０３】
チューブプラグ２はチューブ３の開口端２２に置かれている。ストッパ体２５はチューブ３のルーメンに設けられている。
【０１０４】
液採取部材の下部１０はチューブアセンブリに挿着して係合されている。
【０１０５】
液採取部材の下部１０はチューブプラグ２のチャンネル２１に挿入され、Ａ部の外縁１０１ＡとチャンネルＡのチャンネル壁２１１とが係合されている。Ａ部の外縁１０１Ａの環状突起Ａ１４はチャンネルＡのチャンネル壁２１１における環状凹部Ｂ２２に係合されている。液採取部材の下部１０のＢ部１０２は４つのストッパ体２５を下向きに側面へ展開させ、Ｂ部の外縁１０２Ａはストッパ体２５の上面２５１に係合されている。液採取部材の下部１０は軸方向にチューブプラグ２を貫通している。
【０１０６】
液採取部材１の排液口１２２と排気口１１２はチューブ３のルーメン３１内に設けられている。排液口１２２と排気口１１２からチューブノズルまでの距離は１５ｍｍであり、排液口１２２と排気口１１２はチューブプラグの下部の最低位置２０１よりも５ｍｍ低い。Ｂ部１０２とストッパ体２５の上面２５１とが緊密に係合した箇所の外径は８．５ｍｍである。
【０１０７】
液体採取が終了した後、液採取部材１における余分な液体を捨てて、液採取部材１とチューブアセンブリ４を分離した後、チューブ３における液面５からチューブプラグの下部の最低位置２０２までの距離Ｄ４は５ｍｍである。
【０１０８】
実施例４：
以下は、図１、図７、図８、図１０、図１３を結び付けながら、本発明をさらに説明する。
【０１０９】
液採取部材とチューブアセンブリの係合構造であって、液採取部材１とチューブプラグ２とチューブ３とを備える。
【０１１０】
チューブ３にはルーメン３１と開口端３２が設けられている。チューブ３のルーメンの高さは１０２ｍｍであり、チューブ３の開口端の直径は１４．５ｍｍである。
【０１１１】
チューブプラグ２の上部にチャンネルＡ２１が設けられており、チャンネルＡのチャンネル壁２１１の上には環状突起Ｂ２３が設けられている。チューブプラグ２の下部には４つのシート状のストッパ体２５が設けられており、ストッパ体２５には固定部２５２と可動部２５３が設けられており、可動部２５３は固定部２５２が内向きに延伸して形成されており、可動部２５３は固定部２５２に対して回転可能であり、固定部２５２は可動部２５３と一体にされ、ストッパ体２５はチューブプラグ２と一体にされた。
【０１１２】
液採取部材の下部１０とチューブプラグ２とが挿着されて係合されていない場合、４つのシート状のストッパ体２５の側面２５４は互いに当接している。
【０１１３】
液採取部材１の環状側壁が囲まれて軸方向のチャンネルは形成されており、チャンネルには仕切り１６が設けられており、仕切り１６によってチャンネルは互いに連通しない液体案内チャンネル１２と排気チャンネル１１が仕切られる。液体案内チャンネル１２は吸液口１２１と排液口１２２を含み、液体案内チャンネル１２の下部出口は排液口１２２であり、排気チャンネル１１は排気口１１２と吹出口１１１を含み、排気チャンネルの下部出口は排気口１２２である。
【０１１４】
液採取部材の下部１０はＡ部１０１とＢ部１０２を含み、Ａ部１０１の基端は内向きに直角で折り曲げてからＢ部１０２に接続されている。
【０１１５】
チャンネルの下部出口（排気口１１２と排液口１２２）の外周にはストッパ体１７が設けられている。ストッパ体１７には、走査用、観察用の覗き窓１７１が設けられている。遮蔽側壁１７２はチューブ３を３６０°周回している。ストッパ体１７は液採取部材１と一体にされている。ストッパ体の高さＤ３は１００ｍｍである。
【０１１６】
チューブプラグ２はチューブ３の開口端２２に置かれている。ストッパ体２５はチューブ３のルーメンに設けられている。
【０１１７】
液採取部材の下部１０はチューブアセンブリに挿着して係合されている。
【０１１８】
液採取部材の下部１０はチューブプラグ２のチャンネル２１に挿入され、Ａ部の外縁１０１ＡとチャンネルＡのチャンネル壁２１１における環状突起Ｂ２３とが係合されている。液採取部材の下部１０のＢ部１０２は４つのストッパ体２５を下向きに外へ展開させ、Ｂ部の外縁１０２Ａはストッパ体２５の上面２５１に係合されている。
【０１１９】
液採取部材１の排液口１２２と排気口１１２はチューブ３のルーメン３１内に設けられている。排液口１２２と排気口１１２からチューブノズルまでの距離は１５ｍｍであり、排液口１２２と排気口１１２はチューブプラグの下部の最低位置２０１よりも５ｍｍ低い。Ｂ部１０２とストッパ体２５の上面２５１とが緊密に係合した箇所の外径は９．５ｍｍである。
【０１２０】
液体採取が終了した後、液採取部材１における余分な液体を捨てて、液採取部材１とチューブアセンブリ４を分離した後、チューブ３における液面５からチューブプラグの下部の最低位置２０２までの距離Ｄ４は６ｍｍである。
【０１２１】
実施例５：
以下は、図１６、図１７、図１８、図１９、図２０を結び付けながら、本発明をさらに説明する。
【０１２２】
液採取部材とチューブアセンブリの係合構造であって、液採取部材１とチューブアセンブリ４を備える。チューブアセンブリ４はチューブプラグ２とチューブ３を含む。
【０１２３】
チューブ３にはルーメン３１と開口端３２が設けられている。チューブ３の内側壁には環状凹部３３が設けられている。チューブルーメンの高さＤ２は１０３ｍｍであり、チューブ３の開口端の直径は１４ｍｍである。
【０１２４】
チューブプラグ２の上部には軸方向のチャンネルＡ２１が設けられており、チャンネルＡのチャンネル壁２１１の上部には、環状突起Ｂ２３が設けられており、チューブプラグ２の下部には４つのストッパ体２５が設けられており、ストッパ体２５はシート状であり、ストッパ体２５には固定部２５２と可動部２５３が設けられており、可動部２５３は固定部２５２が内向きに延伸して形成されており、可動部２５３は固定部２５２に対して移動可能であり、固定部２５２は可動部２５３と一体にされ、ストッパ体２５はチューブプラグ２と一体にされた。チューブプラグ２本体の外側壁には環状突起２４１と環状突起２４２が設けられている。
【０１２５】
チューブアセンブリ４において、チューブプラグ２はチューブ３の開口端３２に置かれ、チューブプラグ２本体の外側壁とチューブ３のルーメンのルーメン壁に係合され、かつ、チューブプラグ２本体の外側壁における環状突起２４１がチューブ３のルーメン壁における環状凹部３３に係合され、環状突起２４２はチューブ３の上端面に係合されている。ストッパ体２５はチューブ３のルーメンに設けられている。
【０１２６】
液採取部材の下部１０とチューブプラグ２とが挿着されて係合されていない場合、４つのシート状のストッパ体２５の側面２５４は互いに当接している。
【０１２７】
液採取部材１の環状側壁が囲まれて軸方向のチャンネルは形成されており、チャンネルには仕切り１６が設けられており、仕切り１６によってチャンネルは互いに連通しない液体案内チャンネル１２と排気チャンネル１１が仕切られる。液体案内チャンネル１２は吸液口１２１と排液口１２２を含み、液体案内チャンネル１２の下部出口は排液口１２２であり、排気チャンネル１１は排気口１１２と吹出口１１１を含み、排気チャンネルの下部出口は排気口１２２である。仕切り１６の基端は排液口１２２と排気口１１２よりも低い。
【０１２８】
液採取部材の下部１０はＡ部１０１とＢ部１０２を含み、Ａ部１０１の基端は内向きに折り曲げて延伸してＢ部１０２に接続されており、Ａ部の外縁１０１Ａには環状凹部Ａ１５が設けられている。
【０１２９】
チャンネルの下部出口（排気口１１２と排液口１２２）の外周にはストッパ体１７が設けられている。遮蔽側壁１７２はチューブ３を３６０°周回している。ストッパ体１７は液採取部材１と一体にされている。ストッパ体の高さＤ３は９９ｍｍである。液採取部材１にはハンドル１８が設けられており、ハンドル１８には、防護側壁１７３が設けられ、防護側壁１７３は液体がハンドル１８にこぼれ落ちることを避けるために用いられる。
【０１３０】
液採取部材の下部１０はチューブアセンブリ４に挿着して係合されている。
【０１３１】
液採取部材の下部１０はチューブプラグ２のチャンネル２１に挿入され、Ａ部の外縁１０１ＡはチャンネルＡのチャンネル壁２１１に係合され、Ａ部の外縁１０１Ａの環状凹部Ａ１５はチャンネルＡのチャンネル壁２１１における環状突起２３に係合されており、液採取部材の下部１０のＢ部１０２は４つのストッパ体２５を下向きに側面へ展開させ、Ｂ部の外縁１０２Ａは４つのストッパ体２５の上面２５１に係合されている。液採取部材の下部１０は軸方向にチューブプラグ２を貫通している。
【０１３２】
液採取部材１の排液口１２２と排気口１１２はチューブ３のルーメン３１内に設けられている。排液口１２２と排気口１１２からチューブノズルまでの距離は２６ｍｍである。排液口１２２と排気口１１２はチューブプラグの下部の最低位置２０１より８ｍｍ低い。Ｂ部１０２とストッパ体２５の上面２５１とが緊密に係合した箇所の外径は８ｍｍである。
【０１３３】
液体採取が終了した後、液採取部材１における余分な液体を捨てて、液採取部材１とチューブアセンブリ４を分離した後、チューブ３における液面５からチューブプラグの下部の最低位置２０２までの距離Ｄ４は５ｍｍである。
【符号の説明】
【０１３４】
１：液採取部材；１０：液採取部材の下部；
１０１：Ａ部；１０１Ａ：Ａ部の外縁；
１０２：Ｂ部；１０２Ａ：Ｂ部の外縁；
１１：排気チャンネル；１１１：吹出口；１１２：排気口；
１２：液体案内チャンネル；１２１：吸液口；１２２：排液口；
１３：液採取部材の下部の外縁；１４：環状突起Ａ；１５：環状凹部Ａ；
１６：仕切り；１７：ストッパ体；１７１：覗き窓；１７２：遮蔽側壁；１７３：防護側壁；
１８：ハンドル；
２：チューブプラグ；２０１：チューブプラグの下部の最低位置；２０２：チューブプラグの下部の最低位置；
２１：チャンネルＡ；２１１：チャンネルＡのチャンネル壁；
２２：環状凹部Ｂ；２３：環状突起Ｂ；２４１：環状突起；２４２：環状突起；
２５：ストッパ体；２５１：上面；２５２：固定部；２５３：可動部；２５４：側面；
２６：チューブプラグの基端面；
３：チューブ；３１：ルーメン；３２：開口端；３３：環状凹溝；
４：チューブアセンブリ；５：液面；
Ｄ１：チューブの高さ；Ｄ２：チューブルーメンの高さ；Ｄ３：ストッパ体の高さ；
Ｄ４：液面からチューブプラグの下部の最低位置までの距離。
【図１】
0006474487.tif 000002
【図２】
0006474487.tif 000003
【図３】
0006474487.tif 000004
【図４】
0006474487.tif 000005
【図５】
0006474487.tif 000006
【図６】
0006474487.tif 000007
【図７】
0006474487.tif 000008
【図８】
0006474487.tif 000009
【図９】
0006474487.tif 000010
【図１０】
0006474487.tif 000011
【図１１】
0006474487.tif 000012
【図１２】
0006474487.tif 000013
【図１３】
0006474487.tif 000014
【図１４】
0006474487.tif 000015
【図１５】
0006474487.tif 000016
【図１６】
0006474487.tif 000017
【図１７】
0006474487.tif 000018
【図１８】
0006474487.tif 000019
【図１９】
0006474487.tif 000020
【図２０】
0006474487.tif 000021